(57)【要約】      （修正有）【課題】コルゲートチューブを用いた配索作業を簡略化する。【解決手段】電線挿通具１は、筒状のコルゲートチューブＫに電線Ｃ１，Ｃ２を挿通させるのに用いられる。電線挿通具は、電線の先端を後端に開口した挿入口から挿入されて電線を収容する収容部１１と、収容部の先端部を先端にかけて縮幅させてなり、コルゲートチューブ内で収容部をガイドするガイド部１３とを備える。収容部は、電線の先端を挿入される挿入口を、後端に複数並べて開口させている。収容部の後端面の下部からは、収容部に挿入された電線を下側から支持する受部１２が、後方に延びている。【選択図】図１
2010104082.tif 000002
【特許請求の範囲】
【請求項１】
筒状のコルゲートチューブに電線又は電線束を挿通させるコルゲートチューブ用電線挿通具であって、
前記電線又は電線束の先端が挿入される挿入口を後端部に開口させた有底筒状の挿入部と、
前記挿入部の先端部を先端にかけて縮幅させてなり、前記コルゲートチューブ内で前記挿入部をガイドするガイド部とを備えることを特徴とするコルゲートチューブ用電線挿通具。
【請求項２】
前記挿入部は、前記挿入口を複数並べて開口させていることを特徴とする請求項１に記載のコルゲートチューブ用電線挿通具。
【請求項３】
前記挿入部の後端面の下部からは、前記挿入口から前記挿入部に挿入された前記電線又は電線束を下側から支持する受部が、後方に延びていることを特徴とする請求項１又は２に記載のコルゲートチューブ用電線挿通具。
【発明の詳細な説明】
【技術分野】
【０００１】
本発明は、筒状のコルゲートチューブに電線又は電線束を挿通させるコルゲートチューブ用電線挿通具に関する。
【背景技術】
【０００２】
下記の特許文献１に記載のコルゲートチューブは、全長にわたって周壁に設けられたスリットから、電線や電線束をコルゲートチューブ内に収容することで、コルゲートチューブへの電線の挿通作業の簡略化が図られている。
【０００３】
【特許文献１】実開平５−１５６１１号公報
【発明の開示】
【発明が解決しようとする課題】
【０００４】
しかしながら、高い防水性が求められる箇所へ配索する場合に、テープ等の保護部材をコルゲートチューブに巻き付ける作業が煩雑であった。
【０００５】
本発明は斯かる課題に鑑みてなされたもので、上記課題を解決できるコルゲートチューブ用電線挿通具を提供することを目的とする。
【課題を解決するための手段】
【０００６】
このような目的を達成するために、本発明のコルゲートチューブ用電線挿通具は、筒状のコルゲートチューブに電線又は電線束を挿通させるコルゲートチューブ用電線挿通具であって、前記電線又は電線束の先端が挿入される挿入口を後端部に開口させた有底筒状の挿入部と、前記挿入部の先端部を先端にかけて縮幅させてなり、前記コルゲートチューブ内で前記挿入部をガイドするガイド部とを備えることを特徴とする。
また、本発明は、前記挿入部が、前記挿入口を複数並べて開口させていることを特徴とする。
また、本発明は、前記挿入部の後端面の下部からは、前記挿入口から前記挿入部に挿入された前記電線又は電線束を下側から支持する受部が、後方に延びていることを特徴とする。
【発明の効果】
【０００７】
本発明によれば、電線挿通具に先端を挿入した電線又は電線束をコルゲートチューブ内に送り込むことで、電線又は電線束をコルゲートチューブに容易に挿通させられるので、高い防水性を求められる箇所へのコルゲートチューブを用いた配索作業を簡略化できる。
【発明を実施するための最良の形態】
【０００８】
以下、図面を参照して、本発明の最良の形態を説明する。
図１は、本実施形態のコルゲートチューブ用電線挿通具１を示す図であり、（ａ）は平面図，（ｂ）は右側面図，（ｃ）はコルゲートチューブＫに挿入された状態での断面図である。なお、以下の説明で用いる上下，前後，及び左右の各方向は説明に用いる各図に示している。
【０００９】
電線挿通具１は、ステンレス等の金属材料から形成されており、図１に示すように、電線Ｃ１，Ｃ２を収容する収容部１１と、コルゲートチューブＫ内で収容部１１をガイドするガイド部１３と、収容部１１に収容された電線Ｃ１，Ｃ２を下側から支持する受部１２とを備えている。なお、電線挿通具１は樹脂製でもよい。収容部１１は、電線Ｃ１，Ｃ２を挿通させるコルゲートチューブＫの開口形状とほぼ等しい断面形状の外形を有した有底筒状を呈している。本実施形態では、コルゲートチューブＫが上下の高さ方向を左右の幅方向に比べて幅広に形成された長円形の開口形状を有していることから、収容部１１は、コルゲートチューブＫの内径よりやや小さな外径を有した長円形の断面形状の外形を有している。
【００１０】
収容部１１の上内面及び下内面の互いに対向する位置には、それぞれ上内面及び下内面を収容部１１の内側に膨出させて構成された膨出部１２１が設けられている。収容部１１は、両膨出部１２１によって電線Ｃ１を収容する収容室１１１と、電線Ｃ２を収容する収容室１１２とに区画されている。収容室１１１，１１２は、電線Ｃ１，Ｃ２の断面形状に合わせた内面形状を有しており、電線Ｃ１，Ｃ２の挿入口を左右に並べている。
【００１１】
受部１２は、収容部１１の下部と等しい断面形状を有して、収容部１１の後面の下部から後方に延びている。ガイド部１３は、収容部１１の先端部を先端にかけて縮幅させた外観形状を有している。本実施形態では、ガイド部１３の上面１３１ａ及び下面１３１ｂが、また、左面１３２ａ及び右面１３２ｂが、先端側にかけてそれぞれ互いが近づく向きに傾斜した平坦面となっており、略矩形の断面形状を有して前方に延びている。
【００１２】
収容部１１の後端に開口した挿入口から、収容室１１１，１１２に電線Ｃ１，Ｃ２の先端を挿入された電線挿通具１は、ガイド部１３を備えた先端側からコルゲートチューブＫに挿入されると、コルゲートチューブＫ内をガイド部１３に案内されて移動する。具体的には、電線Ｃ１，Ｃ２が屈曲し、又は、コルゲートチューブＫが湾曲している場合には、図２（ａ）に示すようにガイド部１３の左面１３２ａ若しくは右面１３２ｂをコルゲートチューブＫの内面に近接させたり、図２（ｂ）に示すようにガイド部１３の上面１３１ａ若しくは下面１３１ｂをコルゲートチューブＫの内面に近接させて、コルゲートチューブＫの内面と電線挿通具１との引っかかりを抑えることで、コルゲートチューブＫ内で電線挿通具１を移動させることができる。
【００１３】
次に、電線挿通具１を用いて電線Ｃ１，Ｃ２をコルゲートチューブＫに挿通させる電線挿通装置２について説明する。図３は、電線挿通装置２の構成の概略を示す模式図であり、（ａ）は平面図，（ｂ）は右側面図である。
【００１４】
電線挿通装置２は、電線Ｃ１，Ｃ２を挿通するコルゲートチューブＫの載置される載置台２０と、電線挿通具１を検知する検知部２１と、電線Ｃ１，Ｃ２をコルゲートチューブＫに送り出す電線自動送り機２２と、電線自動送り機２２に送り出される電線Ｃ１，Ｃ２を巻回された電線ドラム２３とを備えている。検知部２１は、載置台２０の左右の両側に設けられた光電センサーであり、載置台２０上の電線挿通具１を検知する。
【００１５】
電線ドラム２３に巻回された電線Ｃ１，Ｃ２を、載置台２０上に載置されたコルゲートチューブＫ内に電線自動送り機２２が送り出すと、電線Ｃ１，Ｃ２の先端を収容部１１に収容した電線挿通具１が、電線Ｃ１，Ｃ２に押し出されてコルゲートチューブＫ内を移動する。電線挿通具１がコルゲートチューブＫを通過して、検知部２１に検知されると、電線自動送り機２２による電線Ｃ１，Ｃ２の送り出しが停止される。このようにして、電線挿通装置２による電線Ｃ１，Ｃ２のコルゲートチューブＫへの挿通作業が行われる。
【００１６】
以上説明したように、本実施形態によれば、電線挿通具１の収容部１１に先端を挿入した電線Ｃ１，Ｃ２を、コルゲートチューブＫ内に送り込むことで、電線Ｃ１，Ｃ２の先端とコルゲートチューブＫの内面との接触を避け、コルゲートチューブＫの内面や電線Ｃ１，Ｃ２を傷つけることなく、電線Ｃ１，Ｃ２をコルゲートチューブＫ内に挿通させることができる。このため、スリットを設けることなく電線や電線束をコルゲートチューブＫに容易に挿通させられる。従って、高い防水性が求められる箇所へのコルゲートチューブＫを用いた配索作業を簡略化できる。
【００１７】
また、本実施形態によれば、左右に並んで開口した収容室１１１，１１２の挿入口に別個の電線Ｃ１，Ｃ２の先端を挿入することで、電線Ｃ１，Ｃ２をまとめてコルゲートチューブＫに挿通させることができる。
【００１８】
また、本実施形態によれば、収容部１１に挿入された電線Ｃ１，Ｃ２を下側から受部１２で支持して、自重で収容部１１から垂れ下がった電線Ｃ１，Ｃ２の先端部とコルゲートチューブＫの内面との接触を抑えることで、電線挿通具１を電線Ｃ１，Ｃ２と一体に移動させやすくなり、収容部１１からの電線Ｃ１，Ｃ２の脱落を防止できる。また、収容部１１に挿入される電線Ｃ１，Ｃ２を受部１２でガイドすることで、電線Ｃ１，Ｃ２の収容部１１への挿入作業を簡略化できる。
【００１９】
また、本実施形態によれば、ステンレス製の電線挿通具１を検知部２１で検知し、その検知結果に基づき電線Ｃ１，Ｃ２の先端位置を特定することで、コルゲートチューブＫを電線Ｃ１，Ｃ２の先端が通過したことを電線自動送り機２２が確認できることから、コルゲートチューブＫへの電線Ｃ１，Ｃ２の挿通作業を簡略化できる。
【００２０】
また、本実施形態によれば、収容部１１が電線Ｃ１，Ｃ２を挿通させるコルゲートチューブＫの開口形状とほぼ等しい断面形状の外形を有しており、コルゲートチューブＫとのクリアランスを最小限に抑えられることから、コルゲートチューブＫ内の電線挿通具１が、進行方向に対して上下及び左右方向に傾くのを抑えることができる。
【００２１】
なお、収容部１１に収容する電線又は電線束の数量は、コルゲートチューブＫに挿通させる電線又は電線束の数量等に応じて適宜変更できる。例えば、収容部１１が収容室１１１のみを備え、１本の電線のみを収容できる構成を有していてもよい。
【００２２】
また、受部１２は必ずしも備える必要はない。また、ガイド部１３の上下，左右の各面１３１ａ，１３１ｂ，１３２ａ，１３２ｂは、平坦に形成されている必要はなく、例えば、曲面から形成されていてもよい。また、ガイド部１３の上下，左右の各面は、上記実施形態のように向かい合う面とガイド部１３の軸心を挟んで対象となる形状に形成する必要はなく、例えば、図４に示すように、上面１３１ａと下面１３１ｂとの長さが異なっていてもよい。
【００２３】
また、上記実施形態では、受部１２にも膨出部１２１が設けられている場合について説明したが、受部１２には膨出部１２１を備えない構成としてもよい。また、収容部１１の後面に開口した挿入口の配置態様は任意であり、挿入口の数量や大きさ等に応じて定めることができる。
【００２４】
また、上記実施形態では、収容室１１１，１１２が一対の膨出部１２１で区画されており、両者が連通している場合について説明した。しかしながら、収容室１１１，１１２が隔壁で区画されて、両者が連通していない構成としてもよい。また、挿入口のみが隔てられており、収容室１１１，１１２が内部で連通していてもよい。
【図面の簡単な説明】
【００２５】
【図１】本発明の一実施形態の電線挿通具を示す図であり、（ａ）は平面図，（ｂ）は右側面図，（ｃ）はコルゲートチューブに挿入された状態での断面図である。
【図２】コルゲートチューブ内での電線挿通具を示す図であり、（ａ）は平面図，（ｂ）は右側面図である。
【図３】電線挿通装置の構成の概略を示す模式図であり、（ａ）は平面図，（ｂ）は右側面図である。
【図４】電線挿通装置の構成の他の例を示す右側面図である。
【符号の説明】
【００２６】
１                電線挿通具
１１              収容部
１１１，１１２    収容室
１３              ガイド部
Ｃ１，Ｃ２        電線
１２              受部
１２１            膨出部
１３１ａ          上面
１３１ｂ          下面
１３２ａ          左面
１３２ｂ          右面
２                電線挿通装置
２０              載置台
２１              検知部
２２              電線自動送り機
２３              電線ドラム
【図１】
2010104082.tif 000003
【図２】
2010104082.tif 000004
【図３】
2010104082.tif 000005
【図４】
2010104082.tif 000006